(57)【要約】【課題】包装用容器を構成する容器構成体の強度及びデザイン性を向上させる。【解決手段】包装用容器（１）を構成する容器構成体（２，４）は、開口縁部（２２，４２）と、多角形状に形成された中央面部（２６，４６）と、開口縁部（２２，４２）と中央面部（２６，４６）とを繋ぐ側壁部（２８，４８）とを備える。側壁部（２８，４８）に区画される複数の分割領域のそれぞれが、中央面部（２６，４６）の構成辺部に交差して延びる折線部（３２，５２）を介して連結された複数の面部（３４，５４）を有している。【選択図】図１
2019089579.tif 000002
【特許請求の範囲】
【請求項１】
包装用容器を構成する容器構成体であって、
開口を形成する開口縁部と、平面視で前記開口縁部よりも小さい多角形状に形成された中央面部と、前記開口縁部と前記中央面部とを繋ぐように一体形成された側壁部と、を備え、
前記側壁部が、多角形状の前記中央面部の各構成辺部に対応する複数の分割領域に区画され、
複数の前記分割領域のそれぞれが、前記中央面部の前記構成辺部に交差して延びる折線部を介して連結された複数の面部を有している容器構成体。
【請求項２】
複数の前記分割領域のそれぞれにおいて、少なくとも１つの前記面部が平坦面に形成されているとともに、他の少なくとも１つの前記面部が曲面に形成されている請求項１に記載の容器構成体。
【請求項３】
複数の前記分割領域のそれぞれにおいて、少なくとも１つの前記面部に、前記折線部に交差して延びるリブが設けられている請求項１又は２に記載の容器構成体。
【請求項４】
前記側壁部が、平面視で非線対称かつ回転対称に形成されている請求項１から３のいずれか一項に記載の容器構成体。
【請求項５】
複数の前記面部は、いずれも三角形状又は台形状であり、
複数の前記分割領域のそれぞれにおいて、当該分割領域に含まれる全ての前記面部の頂点が前記開口縁部又は前記中央面部における特定位置に収束している請求項４に記載の容器構成体。
【請求項６】
前記開口縁部が、前記中央面部と相似する形状の多角形状に形成され、
前記特定位置は、多角形状の前記開口縁部の頂点に対応する位置である請求項５に記載の容器構成体。
【請求項７】
前記特定位置は、多角形状の前記中央面部の頂点に対応する位置である請求項５に記載の容器構成体。
【請求項８】
前記側壁部は、前記中央面部から延びる基端側部位と、前記基端側部位から前記開口縁部側に延びる開口側部位と、を有し、
前記面部が、複数の前記分割領域のそれぞれにおける前記開口側部位に設けられている請求項１から７のいずれか一項に記載の容器構成体。
【請求項９】
請求項１から８のいずれか一項に記載の容器構成体を備えた包装用容器。
【発明の詳細な説明】
【技術分野】
【０００１】
本発明は、容器構成体及び包装用容器に関する。
【背景技術】
【０００２】
例えば弁当や惣菜、生鮮品等の食品を包装するために、包装用容器が利用されている。このような包装用容器としては、例えば容器本体とそれに嵌合する蓋体とを備えるものや、容器本体とその開口を覆うフィルム体とを備えるもの等がある。包装用容器を構成する容器本体や蓋体は、合成樹脂シートを熱成形することによって形成することができ、そのようにして形成される包装用容器が、例えば特開２０１２−２０７８２号公報（特許文献１）に開示されている。
【０００３】
特許文献１の包装用容器では、容器本体２の側壁部５が湾曲部８と延出部９とを備えるとともに、湾曲部８と延出部９との間に屈曲部１０が形成されている。特許文献１には、このような構成を備えることにより、持ちやすく、強度及びデザイン性にも優れると記載されている。
【０００４】
しかし、特許文献１の屈曲部１０は容器本体２の底面部４に平行に形成されており、必ずしも十分な強度があるとは言えず、さらなる強度向上が望まれていた。また、デザイン性に関しても、特許文献１の容器本体２の平面視形状は比較的単調であり、さらなるデザイン性向上が望まれていた。
【先行技術文献】
【特許文献】
【０００５】
【特許文献１】特開２０１２−２０７８２号公報
【発明の概要】
【発明が解決しようとする課題】
【０００６】
包装用容器を構成する容器構成体の強度及びデザイン性を向上させることが望まれている。
【課題を解決するための手段】
【０００７】
本発明に係る容器構成体は、
包装用容器を構成する容器構成体であって、
開口を形成する開口縁部と、平面視で前記開口縁部よりも小さい多角形状に形成された中央面部と、前記開口縁部と前記中央面部とを繋ぐように一体形成された側壁部と、を備え、
前記側壁部が、多角形状の前記中央面部の各構成辺部に対応する複数の分割領域に区画され、
複数の前記分割領域のそれぞれが、前記中央面部の前記構成辺部に交差して延びる折線部を介して連結された複数の面部を有している。
【０００８】
この構成によれば、各分割領域において、互いに隣接する面部どうしの間の折線部が側壁部を斜めに横断して延びるので、当該折線部により、外力に対してより大きな抵抗力を付与することができる。よって、容器構成体の強度を向上させることができる。また、折線部が側壁部を斜めに横断して延びることで、当該折線部自体が視認されやすくなるとともにその両側の面部でそれぞれ反射する光が適度に分散されて、見栄えが良くなる。よって、容器構成体のデザイン性を向上させることができる。
【０００９】
以下、本発明の好適な態様について説明する。但し、以下に記載する好適な態様例によって、本発明の範囲が限定される訳ではない。
【００１０】
一態様として、
複数の前記分割領域のそれぞれにおいて、少なくとも１つの前記面部が平坦面に形成されているとともに、他の少なくとも１つの前記面部が曲面に形成されていることが好ましい。
【００１１】
この構成によれば、分割領域毎に平坦面部と曲面部とをそれぞれ少なくとも１つずつ設けることで、すっきりとしたシャープな印象の美観と丸みのある柔らかい印象の美観とを併存させることができる。また、平坦面部と曲面部とで光の反射方向を異ならせて多様な方向に光を反射させることができ、見栄えがさらに良くなる。よって、容器構成体のデザイン性をさらに向上させることができる。
【００１２】
一態様として、
複数の前記分割領域のそれぞれにおいて、少なくとも１つの前記面部に、前記折線部に交差して延びるリブが設けられていることが好ましい。
【００１３】
この構成によれば、折線部とそれに交差するリブとが協調して、外力に対してさらに大きな抵抗力を付与することができる。よって、容器構成体の強度をさらに向上させることができる。
【００１４】
一態様として、
前記側壁部が、平面視で非線対称かつ回転対称に形成されていることが好ましい。
【００１５】
この構成によれば、側壁部の全体でまるで旋回するかのような動的な美感を創出することができる。よって、容器構成体のデザイン性をさらに向上させることができる。
【００１６】
一態様として、
複数の前記面部は、いずれも三角形状又は台形状であり、
複数の前記分割領域のそれぞれにおいて、当該分割領域に含まれる全ての前記面部の頂点が前記開口縁部又は前記中央面部における特定位置に収束していることが好ましい。
【００１７】
この構成によれば、各分割領域において、全ての三角形状又は台形状の面部が単一の位置において頂点を共有化するように配置され、一方向に向かう印象の美観を創出することができる。よって、容器構成体のデザイン性をさらに向上させることができる。
【００１８】
一態様として、
前記開口縁部が、前記中央面部と相似する形状の多角形状に形成され、
前記特定位置は、多角形状の前記開口縁部の頂点に対応する位置であることが好ましい。
【００１９】
この構成によれば、中央面部と開口縁部とが相似の多角形状なので、全体としてまとまりのある美感を創出することができる。その上で、各分割領域において、多角形状の開口縁部の頂点に対応する位置に向けて一方向に向かう勢いのある印象の美観を創出することができる。よって、容器構成体のデザイン性をさらに向上させることができる。
【００２０】
一態様として、
前記特定位置は、多角形状の前記中央面部の頂点に対応する位置であることが好ましい。
【００２１】
この構成によれば、各分割領域において、多角形状の中央面部の頂点に対応する位置に向けて一方向に向かう勢いのある印象の美観を創出することができる。よって、容器構成体のデザイン性をさらに向上させることができる。
【００２２】
一態様として、
前記側壁部は、前記中央面部から延びる基端側部位と、前記基端側部位から前記開口縁部側に延びる開口側部位と、を有し、
前記面部が、複数の前記分割領域のそれぞれにおける前記開口側部位に設けられていることが好ましい。
【００２３】
この構成によれば、容器構成体が例えば容器本体である場合に、中央面部と側壁部の基端側部位とで囲まれる空間と、その上部において開口側部位によって囲まれる空間とに、互いに異なる被収容物を収容するのに適した構造となる。そして、外部から視認しやすい開口側部位に折線部を介して連結された複数の面部を設けることで、優れたデザインによる利用者（消費者）への訴求力を高めることができる。
【００２４】
本発明に係る包装用容器は、
上述したいずれかの構成の容器構成体を備える。
【００２５】
この構成によれば、強度及びデザイン性に優れた包装用容器を提供することができる。
【００２６】
本発明のさらなる特徴と利点は、図面を参照して記述する以下の例示的かつ非限定的な実施形態の説明によってより明確になるであろう。
【図面の簡単な説明】
【００２７】
【図１】実施形態に係る包装用容器の斜視図
【図２】容器本体の平面図
【図３】容器本体の斜視図
【図４】容器本体の正面図
【図５】蓋体の平面図
【図６】蓋体の正面図
【図７】別態様の容器本体の平面図
【図８】別態様の容器本体の平面図
【図９】別態様の容器本体の平面図
【図１０】別態様の容器本体の平面図
【図１１】別態様の容器本体の平面図
【発明を実施するための形態】
【００２８】
包装用容器及び容器構成体の実施形態について、図面を参照して説明する。本実施形態の包装用容器１は、例えば弁当や惣菜、生鮮品等の食品を包装するための容器として用いることができる。図１に示すように、包装用容器１は、容器本体２と、それに嵌合する蓋体４とを備えている。このような構成では、包装用容器１を構成する容器本体２及び蓋体４のそれぞれが、「容器構成体」に相当する。
【００２９】
容器本体２及び蓋体４は、例えば合成樹脂シートを用いて製造することができる。合成樹脂シートとしては、例えばポリスチレン系樹脂シート、ポリエチレン系樹脂シート、ポリプロピレン系樹脂シート、及びポリエチレンテレフタレート系樹脂シート等の熱可塑性樹脂シートを例示することができる。合成樹脂シートの厚みは、例えば０．１ｍｍ〜４ｍｍ程度であって良い。このような合成樹脂シートを熱成形して、容器本体２及び蓋体４を製造することができる。熱成形としては、例えば真空成形、圧空成形、真空圧空成形、及び熱板成形等を例示することができる。
【００３０】
容器本体２及び蓋体４は、例えば黒色や白色等の有色であっても良いし、内部が視認できるように無色透明であっても良い。また、容器本体２を黒色に形成するとともに蓋体４を無色透明に形成する等、容器本体２と蓋体４とで色を異ならせても良い。
【００３１】
図１に示すように、容器本体２は、開口縁部２２と、底面部２６と、側壁部２８とを備えている。開口縁部２２は、容器本体２の上部開口を形成する部位であり、具体的には外側に向かって水平状に延びるフランジ部２３に設けられている。本実施形態では、開口縁部２２（フランジ部２３）は、多角形状に形成されている。ここで、「多角形状」とは、全体として見たときに多角形と見做すことができる形状を意味する。全体として略多角形であれば、例えば少なくとも１つの辺部が僅かに湾曲したり捩れたりしていても良いし、少なくとも１つの頂点が丸みを帯びていても良い。本実施形態の開口縁部２２（フランジ部２３）は、正方形状に形成されている（図２を参照）。フランジ部２３には、蓋体４のフランジ部４３に設けられた嵌合部４４が嵌合する被嵌合部２４も設けられている。
【００３２】
底面部２６は、容器本体２の底部を形成している。図２に示すように、底面部２６は、平面視で開口縁部２２よりも小さく形成されている。底面部２６は、容器本体２の中央部に配置されている。底面部２６は、開口縁部２２（フランジ部２３）と相似する多角形状（本例では正方形状）に形成されている。底面部２６と開口縁部２２とは、平面視で、中心点に対してそれぞれの各頂点が同じ周方向の位置となるように配置されている。本実施形態では、底面部２６が、「容器構成体」としての容器本体２における「中央面部」に相当する。
【００３３】
側壁部２８は、開口縁部２２と底面部２６とを繋ぐように、開口縁部２２及び底面部２６と一体形成されている。側壁部２８は、上方に向かうに従って外側に向かって広がるように傾斜状に形成されている。側壁部２８は、開口縁部２２と底面部２６の形状に応じた角錘台状（本例では四角錘台状）に形成されている。側壁部２８は、基端側部位２８Ａと、基端側部位２８Ａから連続して延びる開口側部位２８Ｂとを有する。基端側部位２８Ａは、底面部２６から上方に延びている。基端側部位２８Ａは、外方に向かって湾曲する湾曲凹面２８ｃを有している。湾曲凹面２８ｃは、多角形状の底面部２６の頂点に対応する位置に設けられている。開口側部位２８Ｂは、基端側部位２８Ａの上端部から、開口縁部２２側に向けて上方に延びている。
【００３４】
本実施形態の容器本体２は、側壁部２８が、多角形状の底面部２６の各構成辺部２６ｓ（図２を参照）に交差して延びる折線部３２を介して連結された複数の面部３４を有している点によって特徴付けられる。ここで、側壁部２８を、多角形状の底面部２６の各構成辺部２６ｓに対応する複数（本例では４つ）の分割領域Ｒに区画して考えると、各分割領域Ｒが、各構成辺部２６ｓに交差して延びる折線部３２を介して連結された複数の面部３４を有している。なお、折線部３２と構成辺部２６ｓとが交差するとは、両者が直接交差する状態だけでなく、平面視で、折線部３２又はその仮想延長線と構成辺部２６ｓ又はその仮想延長線とが交差する状態を含むものとする。
【００３５】
本実施形態では、各構成辺部２６ｓに交差して延びる折線部３２を介して連結された複数の面部３４は、側壁部２８を構成する基端側部位２８Ａ及び開口側部位２８Ｂのうち、開口側部位２８Ｂだけに設けられている。すなわち、各分割領域Ｒにおいて、基端側部位２８Ａは湾曲凹面２８ｃの部位を除いて単一面で構成され、開口側部位２８Ｂは少なくとも１つの折線部３２を境界とする多面で構成されている。本実施形態において開口側部位２８Ｂだけに設けられている折線部３２は、それぞれの仮想延長線が、平面視で対応する分割領域Ｒの構成辺部２６ｓ又はその仮想延長線に交差している。別の観点からは、基端側部位２８Ａと開口側部位２８Ｂとの境界線が構成辺部２６ｓに対して全体として平行に延びており、各折線部３２は、当該境界線から直接交差して延びるように設けられている。
【００３６】
各分割領域Ｒにおいて、互いに隣接する面部３４どうしの間の折線部３２が側壁部２８を斜めに横断して延びるので、当該折線部３２により、外力に対してより大きな抵抗力を付与することができる。よって、容器本体２の強度を向上させることができる。また、折線部３２が側壁部２８を斜めに横断して延びることで、当該折線部３２自体が視認されやすくなるとともにその両側の面部３４でそれぞれ反射する光が適度に分散されて、見栄えが良くなる。よって、容器本体２のデザイン性を向上させることができる。
【００３７】
図２に示すように、本実施形態では、各分割領域Ｒに含まれる複数の面部３４は、いずれも、三角形状をなす三角形状面部３４Ａとなっている。ここで、「三角形状」とは、全体として見たときに三角形と見做すことができる形状を意味する。全体として略三角形であれば、例えば少なくとも１つの辺部が僅かに湾曲したり捩れたりしていても良いし、少なくとも１つの頂点が丸みを帯びていても良い。当然ながら、折線部３２も、僅かに湾曲したり捩れたりしていても良い。
【００３８】
さらに本実施形態では、各分割領域Ｒには、三角形状面部３４Ａがそれぞれ３つずつ含まれている。なお、ここでは、互いに隣接する２つの分割領域Ｒに跨る三角形状面部３４Ａを、当該２つの分割領域Ｒのうちのいずれか一方に割り当てて考えるものとする。より具体的には、各分割領域Ｒには、三角形状面部３４Ａとして、第１三角形状面部３４ａと第２三角形状面部３４ｂと第３三角形状面部３４ｃとが含まれている。
【００３９】
第１三角形状面部３４ａは、基端側部位２８Ａと開口側部位２８Ｂとの境界に沿う辺部を一辺とする鈍角三角形状に形成されている。第２三角形状面部３４ｂは、多角形状の開口縁部２２の構成辺部２２ｓを一辺とする鈍角三角形状に形成されている。折線部３２を介して隣り合う第１三角形状面部３４ａと第２三角形状面部３４ｂとは、これらが合わさって、全体として等脚台形状を呈している。第１三角形状面部３４ａにおいては、鈍角をなす頂点の対辺が折線部３２となっており、第２三角形状面部３４ｂにおいては、鈍角をなす頂点の対辺が開口縁部２２の構成辺部２２ｓとなっている。第３三角形状面部３４ｃは、基端側部位２８Ａの湾曲凹面２８ｃと開口側部位２８Ｂとの境界に沿う湾曲した辺部を一辺とする二等辺三角形状に形成されている。第３三角形状面部３４ｃにおいては、２つの等辺がいずれも折線部３２となっている。
【００４０】
本実施形態では、各分割領域Ｒにおいて、第１三角形状面部３４ａ、第２三角形状面部３４ｂ、及び第３三角形状面部３４ｃのそれぞれの１つの頂点が、多角形状の開口縁部２２の頂点２２ｖに対応する位置に収束している。言い換えれば、第１三角形状面部３４ａと第２三角形状面部３４ｂとの間の折線部３２と、第２三角形状面部３４ｂと第３三角形状面部３４ｃとの間の折線部３２とが、いずれも、開口側部位２８Ｂを斜めに横断して開口縁部２２の頂点２２ｖに対応する位置に収束している。ここで、「開口縁部２２の頂点２２ｖに対応する位置」は、頂点２２ｖの位置及び当該頂点２２ｖの位置から僅かにずれた位置の両方を含む。本実施形態では、開口縁部２２の頂点２２ｖに対応する位置が、「容器構成体」としての容器本体２における「特定位置」に相当する。このような構成とすることで、各分割領域Ｒにおいて、３つの三角形状面部３４Ａの鋭角の頂点が１箇所に集まり、一方向に向かう印象の美観を創出することができる。
【００４１】
また、複数の分割領域Ｒを有する側壁部２８は、全体として、平面視で非線対称かつ回転対称に形成されている。側壁部２８は、容器本体２の中心を通る直線に対して線対称ではなく、かつ、容器本体２の中心を軸として回転対称（具体的には４回対称）に形成されている。このような構成とすることで、上述した各分割領域Ｒにおける一方向に向かう印象の美観と相俟って、側壁部２８の全体でまるで旋回するかのような動的な美感を創出することができる。よって、容器本体２のデザイン性をさらに向上させることができる。
【００４２】
三角形状面部３４Ａの３次元形状について言及すると、各三角形状面部３４Ａは、それぞれ、平坦面に形成されても良いし曲面に形成されても良い。好ましくは、各分割領域Ｒにおいて、少なくとも１つの三角形状面部３４Ａが平坦面に形成されているとともに、他の少なくとも１つの三角形状面部３４Ａが曲面に形成されている。本実施形態では、図３に示すように、第１三角形状面部３４ａが平坦面に形成されているとともに、第２三角形状面部３４ｂ及び第３三角形状面部３４ｃが曲面に形成されている。このような構成とすることで、平坦面に起因するすっきりとしたシャープな印象の美観と、曲面に起因する丸みのある柔らかい印象の美観とを併存させることができる。また、平坦面と曲面とで光の反射方向を異ならせて多様な方向に光を反射させることができ、見栄えがさらに良くなる。よって、容器本体２のデザイン性をさらに向上させることができる。
【００４３】
また、本実施形態では、各分割領域Ｒにおいて、少なくとも１つの三角形状面部３４Ａに、折線部３２に交差して延びるリブ３６が設けられている。リブ３６は、曲面に形成された三角形状面部３４Ａのうちの１つである第２三角形状面部３４ｂに設けられている。また、リブ３６は、第１三角形状面部３４ａに対して外側に隣接配置された第２三角形状面部３４ｂに設けられている。そして、複数のリブ３６が、第２三角形状面部３４ｂの略全面に、互いに平行に並ぶ状態で分散して設けられている。このような構成とすることで、折線部３２とそれに交差する複数のリブ３６とが協調して、外力に対してさらに大きな抵抗力を付与することができる。よって、容器本体２の強度をさらに向上させることができる。
【００４４】
図４に示すように、本実施形態では、底面部２６に対する開口側部位２８Ｂの傾斜角度は、基端側部位２８Ａの傾斜角度よりも緩やかとなっている。これにより、側壁部２８は、基端側部位２８Ａと開口側部位２８Ｂとの境界部でくびれた形状となっている。側壁部２８がこのようなくびれ形状を有することで、当該くびれ部分を掴んで、容器本体２を容易に持つことができる。
【００４５】
また、本実施形態では、側壁部２８の基端側部位２８Ａに、容器本体２の内部側（収容空間側）に向かって窪む凹部３８が形成されている。このような凹部３８は、少なくとも２つ設けられており、一対の凹部３８が互いに対向する状態で設けられている（図２を参照）。本実施形態では、４つの凹部３８が、側壁部２８を構成する四角錘台状の各面にそれぞれ１つずつ配される状態で設けられている。図３に示すように、凹部３８は、側壁部２８の基端側部位２８Ａと底面部２６とに亘って直方体状に窪むように形成されている。側壁部２８がこのような凹部３８を有することで、当該凹部３８に指を引っかけて、容器本体２を容易に持つことができる。
【００４６】
図１に示すように、蓋体４は、開口縁部４２と、天井面部４６と、側壁部４８とを備えている。開口縁部４２は、蓋体４の下部開口を形成する部位であり、具体的には外側に向かって水平状に延びるフランジ部４３に設けられている。本実施形態では、開口縁部４２（フランジ部４３）は、容器本体２の開口縁部２２（フランジ部２３）の形状に対応する多角形状（本例では正方形状）に形成されている。フランジ部４３には、容器本体２のフランジ部２３に設けられた被嵌合部２４に嵌合する嵌合部４４も設けられている。本例では、蓋体４の嵌合部４４と容器本体２の被嵌合部２４との嵌合形態が外嵌合である場合の構成を図示しているが、そのような構成に限定されることなく、内嵌合であっても良いし、それら両方を組み合わせた内外嵌合であっても良い。
【００４７】
天井面部４６は、蓋体４の天井部を形成している。図５に示すように、天井面部４６は、平面視で開口縁部４２よりも小さく形成されている。天井面部４６は、蓋体４の中央部に配置されている。天井面部４６は、開口縁部４２（フランジ部４３）と相似する正方形状（多角形状の一例）に形成されている。天井面部４６と開口縁部４２とは、平面視で、中心点に対してそれぞれの各頂点が同じ周方向の位置となるように配置されている。本実施形態では、天井面部４６が、「容器構成体」としての蓋体４における「中央面部」に相当する。
【００４８】
側壁部４８は、開口縁部４２と天井面部４６とを繋ぐように、開口縁部２２及び天井面部４６と一体形成されている。側壁部４８は、下方に向かうに従って外側に向かって広がるように傾斜状に形成されている。側壁部４８は、開口縁部４２と天井面部４６の形状に応じた角錘台状（本例では四角錘台状）に形成されている。
【００４９】
本実施形態の蓋体４も、容器本体２と同様に、側壁部４８が、多角形状の天井面部４６の各構成辺部４６ｓ（図５を参照）に交差して延びる折線部５２を介して連結された複数の面部５４を有している点によって特徴付けられる。ここで、側壁部４８を、多角形状の天井面部４６の各構成辺部４６ｓに対応する複数（本例では４つ）の分割領域Ｓに区画して考えると、各分割領域Ｓが、各構成辺部４６ｓに交差して延びる折線部５２を介して連結された複数の面部５４を有している。
【００５０】
各分割領域Ｓにおいて、互いに隣接する面部５４どうしの間の折線部５２が側壁部４８を斜めに横断して延びるので、当該折線部５２により、外力に対してより大きな抵抗力を付与することができる。よって、蓋体４の強度を向上させることができる。また、折線部５２が側壁部４８を斜めに横断して延びることで、当該折線部５２自体が視認されやすくなるとともにその両側の面部５４でそれぞれ反射する光が適度に分散されて、見栄えが良くなる。よって、蓋体４のデザイン性を向上させることができる。
【００５１】
図５に示すように、本実施形態では、各分割領域Ｓに含まれる複数の面部５４は、いずれも、三角形状をなす三角形状面部５４Ａ又は台形状をなす台形状面部５４Ｄとなっている。ここで、「台形状」の字義は、上述した「三角形状」に準じて解釈することができる。本実施形態では、各分割領域Ｓには、三角形状面部３４Ａがそれぞれ３つずつ含まれているとともに、台形状面部５４Ｄがそれぞれ１つずつ含まれている。３つの三角形状面部３４Ａは、それらが合わさって、全体として等脚台形状に形成されている。台形状面部５４Ｄは、多角形状の天井面部４６の頂点４６ｖに対応する位置に設けられている。
【００５２】
本実施形態では、各分割領域Ｓにおいて、３つの三角形状面部３４Ａのそれぞれの１つの頂点が、多角形状の天井面部４６の頂点４６ｖに対応する位置に収束している。本実施形態では、天井面部４６の頂点４６ｖに対応する位置が、「容器構成体」としての蓋体４における「特定位置」に相当する。また、側壁部４８は、全体として、平面視で非線対称かつ回転対称に形成されている。側壁部４８は、蓋体４の中心を通る直線に対して線対称ではなく、かつ、蓋体４の中心を軸として回転対称（具体的には４回対称）に形成されている。このような構成とすることで、側壁部４８の全体でまるで旋回するかのような動的な美感を創出することができる。よって、蓋体４のデザイン性をさらに向上させることができる。
【００５３】
なお、図２と図５とを比較して理解できるように、容器本体２側に創出される旋回的な美感の旋回方向と、蓋体４側に創出される旋回的な美感の旋回方向とは、互いに逆向きとなっている。
【００５４】
各三角形状面部５４Ａ及び台形状面部５４Ｄは、それぞれ、平坦面に形成されても良いし曲面に形成されても良い。好ましくは、各分割領域Ｓにおいて、少なくとも１つの三角形状面部５４Ａが平坦面に形成されているとともに、他の少なくとも１つの三角形状面部５４Ａが曲面に形成されている。このような構成とすることで、平坦面に起因するすっきりとしたシャープな印象の美観と、曲面に起因する丸みのある柔らかい印象の美観とを併存させることができる。また、平坦面と曲面とで光の反射方向を異ならせて多様な方向に光を反射させることができ、見栄えがさらに良くなる。よって、蓋体４のデザイン性をさらに向上させることができる。
【００５５】
多角形状の天井面部４６の頂点４６ｖの位置には、上方に向かって突出する隆起部４７が設けられている。隆起部４７は、平面視でＬ字状に形成され、頂点４６ｖの位置においてＬ字の屈曲部が外側を向くように配置されている。隆起部４７は、複数の包装用容器１が積み重ねられる際に、上段の包装用容器１の容器本体２の側壁部２８の下端側部位に外側から係止する。よって、例えば包装用容器１を積み重ねて搬送する場合等にも、横ズレが生じにくい。
【００５６】
〔その他の実施形態〕
（１）上記の実施形態では、容器本体２の側壁部２８の各分割領域Ｒが、複数の面部３４として３つの三角形状面部３４Ａ（第１三角形状面部３４ａ，第２三角形状面部３４ｂ，第３三角形状面部３４ｃ）を有する構成を例として説明した。しかし、そのような構成に限定されることなく、各分割領域Ｒが少なくとも１つの折線部３２を介して連結された少なくとも２つの面部３４を有していれば良い。例えば図７に模式的に示すように、各分割領域Ｒが、複数の面部３４として２つの三角形状面部３４Ａ（第１三角形状面部３４ａ，第２三角形状面部３４ｂ）だけを有しても良い。蓋体４に関しても、同様に考えることができる。
【００５７】
（２）上記の実施形態では、容器本体２の側壁部２８の各分割領域Ｒが、面部３４として三角形状面部３４Ａだけを有する構成を例として説明した。しかし、そのような構成に限定されることなく、例えば図８に模式的に示すように、各分割領域Ｒが三角形状面部３４Ａと台形状面部３４Ｄとを組み合わせて有しても良い。逆に、蓋体４に関しては、側壁部４８の各分割領域Ｓが、面部５４として三角形状面部５４Ａだけを有しても良い。
【００５８】
（３）上記の実施形態では、第１三角形状面部３４ａが平坦面に形成されているとともに第２三角形状面部３４ｂが曲面に形成されている構成を例として説明した。しかし、そのような構成に限定されることなく、例えば第１三角形状面部３４ａが曲面に形成されるとともに第２三角形状面部３４ｂが平坦面に形成されても良い。或いは、各分割領域Ｒに含まれる全ての面部３４が平坦面に形成されても良いし、各分割領域Ｒに含まれる全ての面部３４が曲面に形成されても良い。蓋体４に関しても、同様に考えることができる。
【００５９】
（４）上記の実施形態では、容器本体２の側壁部２８において、リブ３６が、曲面に形成された面部３４であってかつ相対的に外側に配置された方の面部３４である第２三角形状面部３４ｂに設けられた構成を例として説明した。しかし、そのような構成に限定されることなく、例えば平坦面に形成された面部３４にリブ３６が設けられても良いし、相対的に内側に配置された方の面部３４にリブ３６が設けられても良い。或いは、必ずしもリブ３６が設けられなくても良い。また、蓋体４に関しては、側壁部４８が有する少なくとも１つの面部５４に、折線部５２に交差して延びるリブが設けられても良い。
【００６０】
（５）上記の実施形態では、容器本体２の側壁部２８が平面視で非線対称かつ回転対称に形成されている構成を例として説明した。しかし、そのような構成に限定されることなく、例えば側壁部２８が平面視で線対称かつ回転対称に形成されても良い。或いは、側壁部２８は必ずしも平面視で回転対称でなくても良い。蓋体４に関しても、同様に考えることができる。
【００６１】
（６）上記の実施形態では、容器本体２の側壁部２８の各分割領域Ｒにおいて、複数の折線部３２が特定位置に収束する構成を例として説明した。しかし、そのような構成に限定されることなく、必ずしも複数の折線部３２が特定位置に収束しなくても良い。蓋体４に関しても、同様に考えることができる。
【００６２】
（７）上記の実施形態では、容器本体２の開口縁部２２及び底面部２６が正方形状に形成されている構成を例として説明した。しかし、そのような構成に限定されることなく、例えば図９に模式的に示すように、開口縁部２２及び底面部２６が長方形状に形成されても良い。また、例えば図１０に模式的に示すように、開口縁部２２及び底面部２６が六角形状に形成されても良い。これ以外にも、開口縁部２２及び底面部２６が、三角形状、五角形状、七角形状、八角形状、・・・等の多角形状に形成されても良い。蓋体４に関しても、同様に考えることができる。
【００６３】
（８）上記の実施形態では、容器本体２の開口縁部２２が底面部２６と相似する多角形状に形成されている構成を例として説明した。しかし、そのような構成に限定されることなく、例えば図１１に模式的に示すように、容器本体２の開口縁部２２が円形状に形成されても良い。このような構成において、Ｎを自然数として底面部２６がＮ角形状である場合に、円形状の開口縁部２２を周方向にＮ等分する位置を「特定位置」として、各分割領域Ｒにおいて当該特定位置に複数の折線部３２が収束するように構成しても良い。
【００６４】
（９）上記の実施形態では、容器本体２の側壁部２８が複数の面部３４を備えるとともに蓋体４の側壁部４８が複数の面部５４を備える構成を例として説明した。しかし、そのような構成に限定されることなく、例えば蓋体４の側壁部４８には面部５４が設けられずに容器本体２の側壁部２８が複数の面部３４を備えるだけの構成であっても良い。このような構成では、容器本体２だけが本発明の「容器構成体」に該当する。逆に、例えば容器本体２の側壁部２８には面部３４が設けられずに蓋体４の側壁部４８が複数の面部５４を備えるだけの構成であっても良い。このような構成では、蓋体４だけが本発明の「容器構成体」に該当する。
【００６５】
（１０）上記の実施形態では、包装用容器１が容器本体２とそれに嵌合する蓋体４とを備える構成を例として説明した。しかし、そのような構成に限定されることなく、例えば包装用容器１が容器本体２とその上部開口を覆うフィルム体とを備え、容器本体２の側壁部２８が複数の面部３４を備えるだけの構成であっても良い。このような構成では、容器本体２だけが本発明の「容器構成体」に該当する。
【００６６】
（１１）上記の実施形態では、食品を包装するための包装用容器１を例として説明した。しかし、そのような用途に限定されることなく、食品以外のあらゆる被収容物を包装するために、包装用容器１を用いることができる。
【００６７】
（１２）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【符号の説明】
【００６８】
１        包装用容器
２        容器本体（容器構成体）
４        蓋体（容器構成体）
２２      開口縁部
２２ｖ    頂点（特定位置）
２２ｓ    構成辺部
２６      底面部（中央面部）
２６ｓ    構成辺部
２８      側壁部
２８Ａ    基端側部位
２８Ｂ    開口側部位
３２      折線部
３４      面部
３４Ａ    三角形状面部
３４Ｄ    台形状面部
３６      リブ
４２      開口縁部
４６      天井面部（中央面部）
４６ｓ    構成辺部
４６ｖ    頂点（特定位置）
４８      側壁部
５２      折線部
５４      面部
５４Ａ    三角形状面部
５４Ｄ    台形状面部
Ｒ        分割領域
Ｓ        分割領域
【図１】
2019089579.tif 000003
【図２】
2019089579.tif 000004
【図３】
2019089579.tif 000005
【図４】
2019089579.tif 000006
【図５】
2019089579.tif 000007
【図６】
2019089579.tif 000008
【図７】
2019089579.tif 000009
【図８】
2019089579.tif 000010
【図９】
2019089579.tif 000011
【図１０】
2019089579.tif 000012
【図１１】
2019089579.tif 000013